(57)【要約】【課題】コンクリート塊の外表面にＰＣ緊張材を巻き付けて、コンクリート塊のひび割れ等の進行を抑制する補強を行う場合に、コンクリート塊の外表面を観察することが可能な技術を提供する。【解決手段】コンクリート塊１０の外表面に、多数本のＰＣ緊張材２０を３０〜１００ｍｍの間隔をあけて互いに並列に配設し、それぞれが外表面を１周するように巻回して閉ループを形成すると共に、多数本の他のＰＣ緊張材３０を前記ＰＣ緊張材２０の閉ループに直交する閉ループを形成するように、コンクリート塊１０の外表面に巻回し、複数本をまとめて緊張する。【選択図】        図１
2004316206.tif 000002
【特許請求の範囲】
【請求項１】
コンクリート塊の外表面に、多数本の第１のＰＣ緊張材を互いに並列に配設し、それぞれが外表面を１周するように巻回して閉ループを形成して緊張すると共に、多数本の第２のＰＣ緊張材を前記第１のＰＣ緊張材の閉ループに直交する閉ループを形成するように該コンクリート塊の外表面に巻回して緊張することを特徴とするＰＣ緊張材の配置方法。
【請求項２】
前記第１及び第２のＰＣ緊張材は、複数本をまとめて同時に緊張することを特徴とする請求項１記載のＰＣ緊張材の配置方法。
【請求項３】
前記第１及び第２のＰＣ緊張材は、各並列に隣接する緊張材線間の間隔が３０〜１００ｍｍであることを特徴とする請求項１又は２記載のＰＣ緊張材の配置方法。
【請求項４】
前記コンクリート塊の外表面をシートで覆った後、その外面に前記第１及び第２のＰＣ緊張材を施工することを特徴とする請求項１〜３のいずれかに記載のＰＣ緊張材の配置方法。
【請求項５】
前記コンクリート塊は外面がなめらかな凸形状であることを特徴とする請求項１〜４の何れかに記載のＰＣ緊張材の配置方法。
【請求項６】
前記コンクリート塊が橋脚の頭部部材であることを特徴とする請求項１〜５の何れかに記載のＰＣ緊張材の配置方法。
【発明の詳細な説明】
【０００１】
【発明の属する技術分野】
本発明は、ＰＣ緊張材の配置方法に関し、さらに詳しくはコンクリート部材の外表面を拘束して、コンクリートに生ずるひび割れの発生、進行やアルカリ骨材反応のひび割れの進行を抑制する技術に関する。
【０００２】
【従来の技術】
従来、コンクリート構造物の外表面を保護する技術として、被覆による施工がある。被覆としては、鉄板を貼る手段や繊維シートを貼る手段があるが、両者とも緊張力を付与するものではないため、アルカリ骨材反応によるひび割れを抑制するような積極的な拘束がない。また、例えば支承のような、上面に載荷物を載置したり、載荷構造体が設けられるような構造物では、外面補強材を連続的に配設することが困難な場合がある。
【０００３】
なお、橋脚等の既設構造物を補強する場合に、従来の一般的な補強技術としては、既設構造物の外面を覆う補強部材を取付け、ＰＣ緊張材によってこの補強部材を締付け、既設構造物にフープテンションを付与して補強する技術がある。
【０００４】
例えば、円柱状構造物の外周に、裏込めコンクリート層空間をあけて、多数のコンクリートピラスターを取付け、コンクリート層中に多数の円周方向ＰＣ緊張材を配設し、裏込めコンクリート打設後、ＰＣ緊張材を緊張してその端部をピラスターに定着する技術がある（例えば、特許文献１参照。）。
【０００５】
また、柱状構造物の外周に被覆パネルを添着し、その中に螺旋状にＰＣ緊張材を挿通して順次プレストレスを導入して補強する技術がある（例えば、特許文献２参照。）。
【０００６】
これらの技術では、既設構造物の表面を覆ってしまうので、もし欠陥等があってもこれを隠してしまうことにより、内部の変状の進展を的確に把握出来ないと言う問題があり、場合によっては、致命的な破壊等が生じてもこれを把握することが出来ない。そのため内部の変化を的確にモニタリングすることが容易な技術が求められている。
【０００７】
【特許文献１】
特許第２６８２９７４号公報（第１−２頁、図１）
【特許文献２】
特許第２６６７１３４号公報（第２−３頁、図１）
【０００８】
【発明が解決しようとする課題】
本発明は上記問題点を解決し、コンクリート塊の外表面に多数本のＰＣ緊張材を巻き付けて、コンクリート塊のひび割れ等の進行を抑制する補強を行う場合に、コンクリート塊の外表面を観察することが可能な技術を提供することを目的とする。
【０００９】
本発明方法は、ＰＣ緊張材を緊張することによって内圧力が働き、コンクリートの膨張やアルカリ骨材反応によるひび割れの進展を抑制するものである。
【００１０】
【課題を解決するための手段】
本発明は、コンクリート塊の外表面に、多数本の第１のＰＣ緊張材を互いに並列に配設し、それぞれが外表面を１周するように巻回して閉ループを形成して緊張すると共に、多数本の第２のＰＣ緊張材を前記第１のＰＣ緊張材の閉ループに直交する閉ループを形成するように該コンクリート塊の外表面に巻回して緊張することを特徴とするＰＣ緊張材の配置方法である。
【００１１】
前記第１及び第２のＰＣ緊張材は、複数本ごとにまとめて一度に緊張することとすれば、緊張作業が容易になり、好適である。
【００１２】
また、前記第１及び第２のＰＣ緊張材は、各並列に隣接する緊張材線間の間隔を補強の目的や規模に応じて、３０〜１００ｍｍとすれば、緊張力の分布密度を高めることが出来ると共に、コンクリートの外面が容易に観察できるので本発明の効果が明らかになる。
【００１３】
場合によっては、前記コンクリート塊の外表面を塩害や炭酸ガスアタックを受けないようにシート等で覆った後、前記第１及び第２のＰＣ緊張材を施工するとコンクリートの保護がさらに確実に確保される。
【００１４】
前記コンクリート塊は、任意の構造物等に適用することが出来るが、特に、橋脚の頭部部材に適用すると、補修の場合でも容易であり、好ましい。
【００１５】
【発明の実施の形態】
本方法は、使用するＰＣ緊張材がＰＣ鋼材であるときはメッキあるいは被覆することによって、腐食性のない強化樹脂等であるときはそのままで、コンクリート外面に巻き付けたまま完成する。ＰＣ緊張材は間隔をあけて配列するため、コンクリートを目視できるという大きな特色をもっており、コンクリートの変状をすみやかに検出することを容易にした。
【００１６】
以下図面を参照して本発明の実施の形態を説明する。図１は、本発明を模式的に示すコンクリート塊１０の斜視図である。コンクリート塊１０がほぼ直方体の形をした６面体を示している。その外面に多数本の第１のＰＣ緊張材２０を、互いに平行に並列に配設して６面体の４面を覆うように配設されている。図は模式的に間隔の広いＰＣ緊張材を示しているが、実際は隣接する各ＰＣ緊張材２０相互間の間隔は３０〜１００ｍｍとする。例えば５０ｍｍとすればよい。コンクリート塊１０の一つの面についてみると、第１のＰＣ緊張材２０はほぼその全域を覆うように多数本が並列して配設されている。
【００１７】
この多数の第１のＰＣ緊張材２０と直交する多数の第２のＰＣ緊張材３０が施されている。この第２のＰＣ緊張材３０も、実際には隣接する各ＰＣ緊張材３０の相互間隔は３０〜１００ｍｍとする。そして第２のＰＣ緊張材３０は第１のＰＣ緊張材２０が覆っていない６面体の他の２面を被覆している。さらに第１のＰＣ緊張材２０が巻回された面では第１のＰＣ緊張材２０の上に第２のＰＣ緊張材３０が施されている。第１、第２のＰＣ緊張材２０、３０はそれぞれ緊張装置２１、３１によって緊張され、コンクリート塊１０の外面に密着する。並列に隣接する各ＰＣ緊張材２０又は３０はそれぞれ相互間に上述の間隔（隙間）があるのでコンクリート塊の外面を目視により監視確認できる。
【００１８】
第１、第２のＰＣ緊張材２０、３０は、コンクリート塊１０が大きな外力を受けた時にも、コンクリート塊１０を締めつけ抱持し、コンクリート塊１０にひび割れが生したり、アルカリ骨材反応が進行して膨張することを防止する。
【００１９】
図２、図３は、複数のＰＣ緊張材２０の締付構造を示すもので、（ａ）は斜視図、（ｂ）は側面図である。対向する定着部材２２、２２にＰＣ緊張材２０の両端を定着部２３によって定着し、この定着部材２２、２２を牽引ロッド２４で矢印２６又は２７方向に牽引することによって、緊張力を付与し、ＰＣ緊張材２０をコンクリート塊１０の外面に密着さる。コンクリート塊１０は、外面が外に凸の形状を有するようにし、鋭利な角部を有しないようにすることが好ましい。
【００２０】
図２は、多数のＰＣ緊張材２０の両端をそれぞれ定着部材２２、２２に定着具２３によって定着し、定着部材２２、２２を矢印２６で示すように、互いに近接する方向に移動させてＰＣ緊張材２０を緊張する。この移動はロッド２４及びこのロッド２４に螺合するナット２５などにより行う。
【００２１】
図３は、多数のＰＣ緊張材２０を巻回して交差させ、その両端を定着具２３によって定着した定着部材２２、２２を矢印２７で示すように互いに離隔する方向に移動させる方式としたものである。
【００２２】
図４は本発明を橋脚１２の頭部梁１１に適用した例を示す部分斜視図で、損傷を受けた橋脚１２の頭部梁１１の補強手段を示すものである。ＰＣ緊張材２０は梁１１の軸に直角な方向に５０ｍｍ間隔で多数のＰＣ緊張材２０を配置したもので、ＰＣ緊張材２０を１本１本緊張せずに数本をまとめて定着部材２２により緊張したものである。図４では、隣接する定着部材２２が相互に干渉しないように、図２に示す方式の定着部材２２と図３に示す方式の定着部材を交互に並べて示している。これらは他の工作物との関係により、梁の側面又は底面等に分散配置してもよく、配置は任意である。
【００２３】
ＰＣ緊張材３０は梁長方向に密に配置して妻口に定着部を設置したものである。このＰＣ緊張材２０及び３０は、梁上に載荷する載荷物の位置を避けて緊張することができ、ＰＣ緊張材を補強すべき部位の最大限の範囲に配設することができる。
【００２４】
また図４では、柱体１２の直上部の梁１１の部分は、ＰＣ緊張材４０を周回させることができないので、定着部材４１、緊張装置４２によりＵ字形に巻回して緊張したものを示している。
【００２５】
ＰＣ緊張材２０は梁１１のせん断に対して、ＰＣ緊張材３０は梁１１の曲げに対して、効果的に補強作用をなす。
【００２６】
【発明の効果】
本発明によれば、特に、膨張性を示すアルカリ骨材による損傷構造物を、緊張されたＰＣ緊張材で包み込むこむことによって拘束し、アルカリ骨材反応の抑止を図ることができる。また、ひび割れを抑制することが出来、コンクリートの劣化等を目視によって観察することができる。さらに、本発明によれば、柱材等のせん断補強筋と同様に作用し、部材のせん断及び曲げに対して効果的に補強をすることができる。
【図面の簡単な説明】
【図１】本発明を模式的に示す斜視図である。
【図２】実施例の締付構造を示す説明図で（ａ）は斜視図、（ｂ）は側面図である。
【図３】実施例の締付構造を示す説明図で（ａ）は斜視図、（ｂ）は側面図である。
【図４】実施例を示す橋脚の頭部梁の部分斜視図である。
【符号の説明】
１０    コンクリート塊
１１    頭部梁
１２    橋脚
２０    ＰＣ緊張材
２１    緊張装置
２２    定着部材
２３    定着部
２４    ロッド
２５    ナット
２６、２７    矢印
３０    ＰＣ緊張材
３１    緊張装置
３２    定着部
４０    ＰＣ緊張材
４１    定着部材
４２    緊張装置
【図１】
2004316206.tif 000003
【図２】
2004316206.tif 000004
【図３】
2004316206.tif 000005
【図４】
2004316206.tif 000006